(57)【特許請求の範囲】
【請求項１】
操作パネルのキー上の指定またはコマンドの指定により、現在の印刷条件の設定内容の一覧を用紙に印刷することが可能な印刷装置において、
印刷条件の設定内容の一覧印刷の指定があった場合、その印刷条件の設定内容を用紙に印刷せず、ホストに出力する制御手段を備えたことをことを特徴とする印刷装置。
【請求項２】
請求項１記載において、
制御手段は、印刷条件の設定内容をホストに出力するに際し、ホスト側が受信不可の状態の場合、ホストに出力せず、用紙に印刷する制御を行うことを特徴とする印刷装置。
【請求項３】
請求項２記載において、
制御手段は、ホスト側に出力せず用紙に印刷する場合、その旨を表示部にメッセージ表示する制御を行うことを特徴とする印刷装置。
【請求項４】
操作パネルのキー上の指定またはコマンドの指定により、現在の印刷条件の設定内容の一覧を用紙に印刷することが可能な印刷装置が有するコンピュータの制御プログラムが記録された記録媒体において、
コンピュータに、
印刷条件の設定内容の一覧印刷指定があるか否かを判断させる第１の手順、
ホスト側が受信可能か否かを判断する第２の手順、
ホスト側が受信不可の場合、用紙に印刷条件の設定内容を印刷させる第３の手順、
ホスト側が受信可能の場合、ホスト側に印刷条件の設定内容を出力する第４の手順、
を実行させるためのプログラムを記録したことを特徴とする記録媒体。
【請求項５】
操作パネルのキー上の指定またはコマンドの指定により、現在の印刷条件の設定内容の一覧を用紙に印刷することが可能な印刷装置が有するコンピュータの制御プログラムが記録された記録媒体において、
コンピュータに、
印刷条件の設定内容の一覧印刷指定があるか否かを判断させる第１の手順、
ホスト側が受信可能か否かを判断する第２の手順、
ホスト側が受信不可の場合、用紙に印刷条件の設定内容を印刷させる第３の手順、
用紙に印刷条件の設定内容を出力した旨をメッセージとして表示部に表示する第４の手順、
ホスト側が受信可能の場合、ホスト側に印刷条件の設定内容を出力する第５の手順、
を実行させるためのプログラムを記録したことを特徴とする記録媒体。
【発明の詳細な説明】
【０００１】
【発明の属する技術分野】
本発明は、印刷装置及び印刷制御プログラムを記録した記録媒体に関する。
【０００２】
【従来の技術】
複写機、プリンタなどの印刷装置においては、印刷動作に際して各種の印刷条件の設定が行われる。そして、ユーザ（オペレータ）は印刷動作に先立って、その印刷条件の設定内容が適切なものであるか否かを確認する場合がある。
【０００３】
一般に、印刷条件の設定内容の一覧を確認する場合、操作パネルのキー入力、またはコマンドの指定により、その設定内容の一覧を用紙に印刷していた。ユーザはその印刷物から印刷条件の設定内容を把握することができる。
【０００４】
【発明が解決しようとする課題】
上述したように、従来、印刷条件の設定内容を確認するためには、操作パネルのキー入力、またはコマンドの指定により、その設定内容の一覧を印刷していた。
【０００５】
しかしこの場合、通常の印刷に供される以外に用紙を消費することになり、印刷する内容によっては、複数ページ分印刷しなければならないため、用紙の消費量も無視できないものとなる。これは近年のオフィスでのペーパーレス化に逆行することとなり、好ましいことではない。
また、上記の問題を解決するために、印刷装置の表示部のサイズを拡大して、印刷条件の設定内容を表示することも公知となっている。
【０００６】
しかし、その設定項目数によっては、全ての設定内容を一画面で確認する（一覧表示させる）ことができなかった。そのため、全ての設定内容を確認するためには、画面を切り替える（スクロールする）操作が必要となり、確認できるまで多くの手間と時間を要した。また、表示部のサイズを拡大することはコスト高にもつながるという問題がある。
【０００７】
本発明はこのような背景に鑑みてなされたものであり、用紙上でなくても印刷条件の設定内容を一覧することができる印刷装置及び印刷制御プログラムを記録した記録媒体を提供することを目的とするものである。
【０００８】
【課題を解決するための手段】
上記目的を達成するために、請求項１記載の発明は、操作パネルのキー上の指定またはコマンドの指定により、現在の印刷条件の設定内容の一覧を用紙に印刷することが可能な印刷装置において、印刷条件の設定内容の一覧印刷の指定があった場合、その印刷条件の設定内容を用紙に印刷せず、ホストに出力する制御手段を備えたことをことを特徴とするものである。
【０００９】
また請求項２記載の発明は、請求項１記載の発明において、制御手段は、印刷条件の設定内容をホストに出力するに際し、ホスト側が受信不可の状態の場合、ホストに出力せず、用紙に印刷する制御を行うことを特徴とするものである。
【００１０】
また請求項３記載の発明は、請求項２記載の発明において、制御手段は、ホスト側に出力せず用紙に印刷する場合、その旨を表示部にメッセージ表示する制御を行うことを特徴とするものである。
【００１１】
また請求項４記載の発明は、操作パネルのキー上の指定またはコマンドの指定により、現在の印刷条件の設定内容の一覧を用紙に印刷することが可能な印刷装置が有するコンピュータの制御プログラムが記録された記録媒体において、コンピュータに、印刷条件の設定内容の一覧印刷指定があるか否かを判断させる第１の手順、ホスト側が受信可能か否かを判断する第２の手順、ホスト側が受信不可の場合、用紙に印刷条件の設定内容を印刷させる第３の手順、ホスト側が受信可能の場合、ホスト側に印刷条件の設定内容を出力する第４の手順を実行させるためのプログラムを記録したことを特徴とするものである。
【００１２】
また請求項５記載の発明は、操作パネルのキー上の指定またはコマンドの指定により、現在の印刷条件の設定内容の一覧を用紙に印刷することが可能な印刷装置が有するコンピュータの制御プログラムが記録された記録媒体において、コンピュータに、印刷条件の設定内容の一覧印刷指定があるか否かを判断させる第１の手順、ホスト側が受信可能か否かを判断する第２の手順、ホスト側が受信不可の場合、用紙に印刷条件の設定内容を印刷させる第３の手順、用紙に印刷条件の設定内容を出力した旨をメッセージとして表示部に表示する第４の手順、ホスト側が受信可能の場合、ホスト側に印刷条件の設定内容を出力する第５の手順を実行させるためのプログラムを記録したことを特徴とするものである。
【００１３】
【発明の実施の形態】
以下、本発明の実施の形態を添付図面を参照しながら説明する。
図１は印刷装置の全体ブロック図である。
この印刷装置は、ＣＰＵ１、印刷部２、操作パネル３、ファームウェア（ＲＯＭ）４、ワークメモリ（ＲＡＭ）５、ホストＩ／Ｆ６が内部バス７で接続されることで構成され、ホストＩ／Ｆ６を介して図示しないホストコンピュータと接続されている。
【００１４】
ＣＰＵ１は、ホストＩ／Ｆ６を通してホストコンピュータから制御コードを受け取り、ＲＯＭ４に格納されたプログラムに従って動作する。また、印刷部２からの信号処理、及び印刷部２へのビデオ信号の送受信を行う。
【００１５】
印刷部２は、ビデオ信号及び制御信号により、例えば電子写真方式の場合、感光体上に静電潜像を作って現像し、用紙にトナー像を転写して定着することで、画像を形成する（印刷する）。
【００１６】
このような構成において、ホストＩ／Ｆ６を通してホストコンピュータから送られてきたデータは、ＣＰＵ１により、印字データ及び印字制御データ（ＳＰ，ＣＲ，ＬＦ，ＨＴ，ＶＴ・・・等）とその他に分けられ、印字データ及び印字制御データはＲＡＭ５内のバッファに記憶される。
ホストコンピュータからの印刷命令があったとき、またはホストコンピュータから受け取ったデータが１ページ分を越えたとき、印刷部２において印刷が行われる。
【００１７】
本発明は、操作パネル３またはコマンドにより、印刷条件の設定内容の一覧印刷の指定があった場合、ホストが受信可能であれば、印刷条件の設定内容をホストに出力するものである。
【００１８】
図２は各設定項目の出力用文字列記憶メモリに格納された出力用文字列を示す図である。
記憶メモリ４−１の各番地には、図２に示すような各設定項目の出力用文字列が格納されている。
【００１９】
図３は印刷条件設定内容格納メモリに格納された印刷条件設定内容を示す図である。
格納メモリ５−１の各番地には、図３に示すような印刷条件設定内容が格納されている。
【００２０】
図４は出力用文字列格納メモリに格納された出力用文字列を示す図である。
格納メモリ５−２には、図４に示すように、ホストに出力する印刷条件の設定内容の文字列が格納されている。
【００２１】
図５は第１の実施の形態を示す印刷条件の設定内容出力処理手順を示すフローチャートである。
まず、印刷条件の設定内容の一覧印刷の指定があるか否か判断する（Ｓ１）。指定がある場合は（Ｓ１でＹ）、印刷条件の設定項目数ｎになるまで順に（Ｓ２、Ｓ３、Ｓ４でＹ、Ｓ５）、以下のステップＳ６乃至Ｓ１０の処理を行う。
【００２２】
出力用文字列記憶メモリ４−１から設定項目の文字列を読み出す（Ｓ６）。そして読み出した文字列のデータを出力用文字列格納メモリ５−２に格納する（Ｓ７）。
次に、印刷条件設定内容格納メモリ５−１から設定項目の設定内容を読み出す（Ｓ８）。次に、読み出した設定内容を出力用文字列のデータに変換する（Ｓ９）。
最後に変換した出力用文字列のデータを出力用文字列格納メモリ５−２に格納する（Ｓ１０）。
【００２３】
設定項目の全てについて上記の処理を行った後（Ｓ４でＮ）、出力用文字列格納メモリ５−２に格納された文字列のデータをホストに出力する（Ｓ１１）。
【００２４】
図６は印刷条件の設定内容一覧印刷の一例を示す図である。
ホスト側が受信不可の状態の場合、ホストに出力せず、従来通り用紙に出力する。
図７は第２の実施の形態を示す印刷条件の設定内容出力処理手順を示すフローチャートである。
【００２５】
まず、印刷条件の設定内容の一覧印刷の指定があるか否か判断する（Ｓ２１）。指定がある場合は（Ｓ２１でＹ）、ホスト側が受信可能であるか否か判断する（Ｓ２２）。ホスト側が受信不可であれば（Ｓ２２でＮ）、通常通り用紙に印刷する（Ｓ２３；図６参照）。
【００２６】
ホスト側が受信できる状態であれば（Ｓ２２でＹ）、図５のＡ部の処理が行われる（Ｓ２４）。即ち、最終的に出力用文字列格納メモリ５−２に格納された文字列のデータがホストに出力される。
【００２７】
図８は操作パネルの表示部へのメッセージ表示の一例を示す図である。
ホストに出力せず、用紙に印刷したことをメッセッージとして操作パネル３の表示部に表示する。図８の例では、「印刷条件の設定内容の一覧を用紙に印刷しました。」とメッセージ表示している。
【００２８】
図９は第３の実施の形態を示す印刷条件の設定内容出力処理手順を示すフローチャートである。
まず、印刷条件の設定内容の一覧印刷の指定があるか否か判断する（Ｓ３１）。指定がある場合は（Ｓ３１でＹ）、ホスト側が受信可能であるか否か判断する（Ｓ３２）。ホスト側が受信不可であれば（Ｓ３２でＮ）、通常通り用紙に印刷する（Ｓ３３；図６参照）。そして、用紙に出力したことをメッセージとして操作パネル３の表示部に表示する（Ｓ３４；図８参照）。
【００２９】
ホスト側が受信できる状態であれば（Ｓ３２でＹ）、図５のＡ部の処理が行われる（Ｓ３５）。即ち、最終的に出力用文字列格納メモリ５−２に格納された文字列のデータがホストに出力される。
【００３０】
本実施の形態の印刷装置は、ＣＰＵ１、印刷部２、操作パネル３、ファームウェア（ＲＯＭ）４、ワークメモリ（ＲＡＭ）５、ホストＩ／Ｆ６が内部バス７で接続されることで構成され、ホストＩ／Ｆ６を介して図示しないホストコンピュータと接続されている。
【００３１】
そしてＣＰＵ１は、印刷条件の設定内容の一覧印刷の指定があった場合、その印刷条件の設定内容を用紙に印刷せずホストに出力する。また、ＣＰＵ１は、印刷条件の設定内容をホストに出力するに際し、ホスト側が受信不可の状態の場合、ホストに出力せず用紙に印刷する。
さらに、ＣＰＵ１は、ホスト側に出力せず用紙に印刷する場合、その旨を表示部にメッセージ表示する。
従って、用紙の消費を最小限に抑えつつ、現在の印刷条件の設定内容を一覧することができる。
【００３２】
【発明の効果】
請求項１記載の発明によれば、印刷条件の設定内容を確認する場合、その内容をホストに出力することにより、ＣＲＴ上でその設定内容の一覧を一目で確認することができる。また、従来のように、用紙に印刷しなくて済むので、印刷する処理の手間及び時間を省くことができる。また、用紙を無駄に使用しなくて済む。
【００３３】
請求項２記載の発明によれば、ホスト側が受信不可の状態で印刷条件の設定内容をホストに出力できない場合は、その内容を用紙に印刷することにより、確認することができる。
【００３４】
請求項３記載の発明によれば、用紙に印刷したことをメッセージとして表示部に表示することにより、ホストに出力できず用紙に印刷したことをユーザに迅速に知らせることができる。
【００３５】
請求項４及び請求項５記載の発明によれば、印刷条件の設定内容をホストに出力するためのプログラムが記録された記録媒体を提供することができる。
【図面の簡単な説明】
【図１】印刷装置の全体ブロック図である。
【図２】各設定項目の出力用文字列記憶メモリに格納された出力用文字列を示す図である。
【図３】印刷条件設定内容格納メモリに格納された印刷条件設定内容を示す図である。
【図４】出力用文字列格納メモリに格納された出力用文字列を示す図である。
【図５】本発明の第１の実施の形態を示す印刷条件の設定内容出力処理手順を示すフローチャートである。
【図６】印刷条件の設定内容一覧印刷の一例を示す図である。
【図７】本発明の第２の実施の形態を示す印刷条件の設定内容出力処理手順を示すフローチャートである。
【図８】操作パネルの表示部へのメッセージ表示の一例を示す図である。
【図９】本発明の第３の実施の形態を示す印刷条件の設定内容出力処理手順を示すフローチャートである。
【符号の説明】
１  ＣＰＵ
２  印刷部
３  操作パネル
４  ＲＯＭ
４−１  記憶メモリ
５  ＲＡＭ
５−１、５−２  格納メモリ
６  ホストＩ／Ｆ
７  内部バス
【図１】
0003613431.tif 000002
【図２】
0003613431.tif 000003
【図３】
0003613431.tif 000004
【図４】
0003613431.tif 000005
【図５】
0003613431.tif 000006
【図６】
0003613431.tif 000007
【図７】
0003613431.tif 000008
【図８】
0003613431.tif 000009
【図９】
0003613431.tif 000010